(57)【要約】【課題】粒子の応答速度を速くすることができる電気泳動表示装置などを提供する。【解決手段】互いに対向させられた第１の基板および第２の基板と、前記第１の基板に設けられた第１の電極と、前記第２の基板に設けられた第２の電極と、前記第１の電極と前記第２の電極との間に設けられた粒子および分散媒を含む分散液と、を備え、前記第１の電極と前記第２の電極との間に前記粒子に対応する色を表示させる電圧が印加されて前記第２の基板の側に前記色が表示された状態から前記電圧が解除された場合に、前記粒子に対応する色以外の色が表示される、電気泳動表示装置。【選択図】図１
2017129810.tif 000002
【特許請求の範囲】
【請求項１】
互いに対向させられた第１の基板および第２の基板と、前記第１の基板に設けられた第１の電極と、前記第２の基板に設けられた第２の電極と、前記第１の電極と前記第２の電極との間に設けられた粒子および分散媒を含む分散液と、を備え、
前記第１の電極と前記第２の電極との間に前記粒子に対応する色を表示させる電圧が印加されて前記第２の基板の側に前記色が表示された状態から前記電圧が解除された場合に、前記粒子に対応する色以外の色が表示される、
電気泳動表示装置。
【請求項２】
前記第１の電極と前記第２の電極との間に電圧が印加されない状態において、前記第１の電極と前記第２の電極の一方または両方の電極について、前記電極と前記粒子とが近付いたときに、前記電極と前記粒子との間に働く合力が斥力となる、
請求項１に記載の電気泳動表示装置。
【請求項３】
前記第１の電極と前記第２の電極の一方または両方の電極について、前記分散液が前記電極の側と接する面に、撥水性または撥油性の層を備える、
請求項１または請求項２のいずれか１項に記載の電気泳動表示装置。
【請求項４】
前記層は、フッ素の層である、
請求項３に記載の電気泳動表示装置。
【請求項５】
前記粒子のブラシの量または長さが、前記第１の電極と前記第２の電極の一方または両方の電極について前記電極と前記粒子とが近付いたときに前記電極と前記粒子との間に働く合力が斥力となる値に、設定された、
請求項１から請求項４のいずれか１項に記載の電気泳動表示装置。
【請求項６】
請求項１から請求項５のいずれか１項に記載の電気泳動表示装置を備える電子機器。
【請求項７】
互いに対向させられた第１の基板および第２の基板と、前記第１の基板に設けられた第１の電極と、前記第２の基板に設けられた第２の電極と、前記第１の電極と前記第２の電極との間に設けられた粒子および分散媒を含む分散液と、を備えた電気泳動表示装置を製造する製造方法であって、
前記第１の電極と前記第２の電極の一方または両方の電極について、前記分散液が前記電極の側と接する面に、撥水性または撥油性の層を形成する工程、
または、
前記粒子のブラシの量または長さが、前記第１の電極と前記第２の電極の一方または両方の電極について前記電極と前記粒子とが近付いたときに前記電極と前記粒子との間に働く合力が斥力となる値に、設定された前記分散液を設ける工程、
の一方または両方の工程を行う、
電気泳動表示装置の製造方法。
【発明の詳細な説明】
【技術分野】
【０００１】
本発明は、電気泳動表示装置、電子機器および電気泳動表示装置の製造方法に関する。
【背景技術】
【０００２】
電気泳動表示装置（ＥＰＤ：Ｅｌｅｃｔｒｏｐｈｏｒｅｔｉｃ  Ｄｉｓｐｌａｙ）は、例えば、電子ペーパーなどで用いられている。
電気泳動表示装置は、帯電性および分散性を有する粒子が注入された溶媒に電圧を印加して、当該粒子を所定の電極の側に動かすことで、色および反射率が異なる粒子を分離させて、表示の内容を変えることができる。一例として、白に対応する粒子（「白色粒子」という。）および黒に対応する粒子（「黒色粒子」という。）を用いた白黒表示体では、一般に、白色粒子の光散乱を利用して白を表示させ、黒色粒子の光吸収性を利用して黒を表示させている。
【０００３】
電気泳動表示装置としては、電圧の印加が停止させられても表示の内容が保持される保持型の電気泳動表示装置が用いられている（特許文献１参照）。
しかしながら、保持型の電気泳動表示装置では、例えば、表示の内容が保持されることで、粒子（例えば、白色粒子または黒色粒子）が電極に固着して保持されたまま取れなくなり、粒子の応答速度が遅くなる場合があった。
また、保持型の電気泳動表示装置では、例えば、表示の内容が保持されることで、経時的な焼き付きまたは残像が生じる場合があった。このため、保持型の電気泳動表示装置では、リフレッシュ駆動または白黒反転駆動（白黒反転画像の挿入）によって、焼き付きまたは残像を防止していた。
また、保持型の電気泳動表示装置では、リフレッシュ駆動または白黒反転駆動を表示制御の途中に行うことから、視認性の悪化が発生する場合または本来表示に必要のない表示時間が発生する場合があり、表示品質（表示品位）が悪い場合があった。
なお、スポーツなどの用途で使用され、１秒ごとの表示の書き換えが必要な状況では、保持型の電気泳動表示装置では、リフレッシュ駆動または白黒反転駆動ができない場合または困難である場合があった。
【先行技術文献】
【特許文献】
【０００４】
【特許文献１】特開２００９−１０３９６７号公報
【発明の概要】
【発明が解決しようとする課題】
【０００５】
上述のように、保持型の電気泳動表示装置では粒子の応答速度が遅くなる場合があり、粒子の応答速度が速い電気泳動表示装置が望まれていた。
【０００６】
本発明は、前記の点に鑑み為されたものであり、粒子の応答速度を速くすることができる電気泳動表示装置、電子機器および電気泳動表示装置の製造方法を提供することを目的とする。
【課題を解決するための手段】
【０００７】
上記課題の少なくとも一つを解決するために本発明の一態様は、互いに対向させられた第１の基板および第２の基板と、前記第１の基板に設けられた第１の電極と、前記第２の基板に設けられた第２の電極と、前記第１の電極と前記第２の電極との間に設けられた粒子および分散媒を含む分散液と、を備え、前記第１の電極と前記第２の電極との間に前記粒子に対応する色を表示させる電圧が印加されて前記第２の基板の側に前記色が表示された状態から前記電圧が解除された場合に、前記粒子に対応する色以外の色が表示される、電気泳動表示装置である。
この構成により、電気泳動表示装置では、第１の電極と第２の電極との間に粒子に対応する色を表示させる電圧が印加されて第２の基板の側に当該色が表示された状態から当該電圧が解除された場合に、当該粒子に対応する色以外の色が表示される。これにより、電気泳動表示装置では、非保持型となり、粒子の応答速度を速くすることができ、表示の内容の書き換えの速度を速くすることができる。
【０００８】
本発明の一態様は、電気泳動表示装置において、前記第１の電極と前記第２の電極との間に電圧が印加されない状態において、前記第１の電極と前記第２の電極の一方または両方の電極について、前記電極と前記粒子とが近付いたときに、前記電極と前記粒子との間に働く合力が斥力となる、構成が用いられてもよい。
この構成により、電気泳動表示装置では、非保持型となる。これにより、電気泳動表示装置では、粒子の応答速度を速くすることができ、表示の内容の書き換えの速度を速くすることができる。
【０００９】
本発明の一態様は、電気泳動表示装置において、前記第１の電極と前記第２の電極の一方または両方の電極について、前記分散液が前記電極の側と接する面に、撥水性または撥油性の層を備える、構成が用いられてもよい。
この構成により、電気泳動表示装置では、撥水性または撥油性の層によって、非保持型となる。これにより、電気泳動表示装置では、粒子の応答速度を速くすることができ、表示の内容の書き換えの速度を速くすることができる。
【００１０】
本発明の一態様は、電気泳動表示装置において、前記層は、フッ素の層である、構成が用いられてもよい。
この構成により、電気泳動表示装置では、フッ素の層によって、非保持型となる。これにより、電気泳動表示装置では、粒子の応答速度を速くすることができ、表示の内容の書き換えの速度を速くすることができる。
【００１１】
本発明の一態様は、電気泳動表示装置において、前記粒子のブラシの量または長さが、前記第１の電極と前記第２の電極の一方または両方の電極について前記電極と前記粒子とが近付いたときに前記電極と前記粒子との間に働く合力が斥力となる値に、設定された、構成が用いられてもよい。
この構成により、電気泳動表示装置では、粒子のブラシの量または長さによって、非保持型となる。これにより、電気泳動表示装置では、粒子の応答速度を速くすることができ、表示の内容の書き換えの速度を速くすることができる。
【００１２】
上記課題の少なくとも一つを解決するために本発明の一態様は、以上のような電気泳動表示装置を備える電子機器である。
この構成により、電気機器では、電気泳動表示装置において、第１の電極と第２の電極との間に粒子に対応する色を表示させる電圧が印加されて第２の基板の側に当該色が表示された状態から当該電圧が解除された場合に、当該粒子に対応する色以外の色が表示される。これにより、電子機器では、電気泳動表示装置において、非保持型となり、粒子の応答速度を速くすることができ、表示の内容の書き換えの速度を速くすることができる。
【００１３】
上記課題の少なくとも一つを解決するために本発明の一態様は、互いに対向させられた第１の基板および第２の基板と、前記第１の基板に設けられた第１の電極と、前記第２の基板に設けられた第２の電極と、前記第１の電極と前記第２の電極との間に設けられた粒子および分散媒を含む分散液と、を備えた電気泳動表示装置を製造する製造方法であって、前記第１の電極と前記第２の電極の一方または両方の電極について、前記分散液が前記電極の側と接する面に、撥水性または撥油性の層を形成する工程、または、前記粒子のブラシの量または長さが、前記第１の電極と前記第２の電極の一方または両方の電極について前記電極と前記粒子とが近付いたときに前記電極と前記粒子との間に働く合力が斥力となる値に、設定された前記分散液を設ける工程、の一方または両方の工程を行う、電気泳動表示装置の製造方法である。
この構成により、電気泳動表示装置の製造方法では、非保持型の電気泳動表示装置を製造する。これにより、電気泳動表示装置では、粒子の応答速度を速くすることができ、表示の内容の書き換えの速度を速くすることができる。
【００１４】
以上のように、本発明に係る電気泳動表示装置、電子機器および電気泳動表示装置の製造方法によれば、電気泳動表示装置において、非保持型となる。これにより、本発明に係る電気泳動表示装置、電子機器および電気泳動表示装置の製造方法によれば、電気泳動表示装置において、粒子の応答速度を速くすることができ、表示の内容の書き換えの速度を速くすることができる。
【図面の簡単な説明】
【００１５】
【図１】本発明の一実施形態（第１実施形態）に係る非保持型の電気泳動表示装置の概略的な構成例を示す図である。
【図２】本発明の一実施形態に係る電気泳動表示装置の表示部の構成例を示す図である。
【図３】本発明の一実施形態に係る電気泳動粒子の固着が無い場合の様子の一例を示す図である。
【図４】比較例に係る電気泳動粒子の固着がある場合の様子の一例を示す図である。
【図５】表示色の切り替え時における応答速度の一例を示す図である。
【図６】本発明の一実施形態に係る非保持型における消費電力の効率化を説明するための図である。
【図７】本発明の一実施形態に係る非保持型における表示品質の向上を説明するための図である。
【図８】本発明の一実施形態に係る非保持型における表示品質の向上を説明するための図である。
【図９】本発明の一実施形態に係る粒子ブラシ量の調整を説明するための図である。
【図１０】フッ素を用いる場合における電気泳動粒子と電極との間の相互作用の例を示す図である。
【図１１】ブラシ量の調整を用いる場合における電気泳動粒子と電極との間の相互作用の例を示す図である。
【図１２】本発明の一実施形態（第２実施形態の第１の例）に係る電子機器の概略的な構成例を示す図である。
【図１３】本発明の一実施形態（第２実施形態の第２の例）に係る電子機器の概略的な構成例を示す図である。
【図１４】本発明の一実施形態（第２実施形態の第３の例）に係る電子機器の概略的な構成例を示す図である。
【発明を実施するための形態】
【００１６】
本発明の実施形態について図面を参照して詳細に説明する。
【００１７】
（第１実施形態）
［電気泳動表示装置の概要］
図１は、本発明の一実施形態（第１実施形態）に係る非保持型の電気泳動表示装置１の概略的な構成例を示す図である。図１は、電気泳動表示装置１の平面図である。
電気泳動表示装置１は、表示部１１と、制御部１２を備える。
表示部１１は、縦および横（マトリクス状）に配置された複数の画素領域２１を備える。
制御部１２は、それぞれの画素領域２１ごとに、分散液に印加する電圧を制御することにより、表示する色を制御する。本実施形態では、それぞれの画素領域２１ごとに、分散媒とともに白色粒子および黒色粒子を含む分散液を有しており、白色粒子を用いた白の表示または黒色粒子を用いた黒の表示が可能である。
【００１８】
［表示部の概要］
図２は、本発明の一実施形態に係る電気泳動表示装置１の表示部１１の構成例を示す図である。図２は、表示部１１の断面側面図であり、外周の側面に位置する一部の画素領域２１に係る部分を示してある。
なお、本実施形態では、複数の画素領域２１のうち、外周に面した２以上の画素領域２１の構成は同じであり、また、外周に面しない２以上の画素領域２１の構成は同じである。また、外周に面した画素領域２１の構成と、外周に面しない画素領域２１の構成とは、外周に面するか否かに応じた相違部分以外は同じ構成である。
【００１９】
表示部１１は、第１の基板（以下、「画素基板」という。）１０１と、第２の基板（以下、「対向基板」という。）１０２と、隔壁１１１〜１１３と、第１の接合層１２１と、第２の接合層１２２と、第１の電極（以下、「画素電極」という。）１３１〜１３３と、第２の電極（以下、「対向電極」という。）１４１と、分散液１５１と、封止部１７１を備える。分散液１５１は、分散媒１６１と、第１の種類の複数の電気泳動粒子（以下、「白色粒子」ともいう。）１６２と、第２の種類の複数の電気泳動粒子（以下、「黒色粒子」ともいう。）１６３を含む。
なお、「画素基板」は「駆動基板」などと呼ばれてもよく、「対向電極」は「共通電極」などと呼ばれてもよい。
【００２０】
画素基板１０１と対向基板１０２とは、互いに対向させられて配置されている。
画素基板１０１と対向基板１０２との間において、画素基板１０１に、隔壁１１１〜１１３が設けられている。隔壁１１１〜１１３によって、仕切られた複数の画素領域２１の空間（セル）が形成されている。
画素基板１０１と対向基板１０２との間において、画素基板１０１に、画素領域２１ごとに、電極（画素電極）１３１〜１３３が設けられている。
画素基板１０１と対向基板１０２との間において、対向基板１０２に、電極（対向電極）１４１が設けられている。本実施形態では、対向電極１４１は複数の画素領域２１について共通な電極となっているが、他の構成例として、対向電極１４１が画素電極１３１ごとに分割されて設けられてもよい。なお、対向基板１０２としては例えばガラス基板が用いられてもよく、対向電極１４１としては例えばＩＴＯ（インジウム・スズ酸化物）などの電極が用いられてもよい。
【００２１】
画素基板１０１と対向基板１０２との間において、対向基板１０２に、対向電極１４１よりも画素基板１０１の側に、第１の接合層１２１（例えば、食い込み層）が設けられており、さらに画素基板１０１の側に、第２の接合層１２２（例えば、保護膜層）が設けられている。ここで、第２の接合層１２２と、隔壁１１１〜１１２の先端部（対向基板１０２の側の先端部）とが接している。
各画素領域２１には、分散液１５１が設けられている。
封止部１７１は、表示部１１の外周の側面に設けられており、分散液１５１を封止している。なお、封止部１７１と対向電極１４１との接合部２０１は、例えば、シール材を塗布することで、接合がなされている。
【００２２】
電気泳動表示装置１では、制御部１２が、電圧を駆動して、各画素電極１３１〜１３３に印加する電圧と、対向電極１４１に印加する電圧を制御することで、各画素領域２１に表示される色（本実施形態では、白色または黒色）を制御する。これにより、表示面における表示の内容が制御される。本実施形態では、対向基板１０２の側の面が、表示の内容を出力する表示面となる。
【００２３】
例えば、画素電極１３１〜１３３と対向電極１４１との間に、相対的に対向電極１４１の電圧が高くなるように電圧を印加する。すると、正に帯電された黒色粒子１６３はクーロン力によって画素電極１３１〜１３３の側に引き寄せられる。一方、負に帯電された白色粒子１６２はクーロン力によって対向電極１４１の側に引き寄せられる。この結果、表示面の側（対向電極１４１の側）には白色粒子１６２が集まることになり、表示面には当該白色粒子１６２に対応する色（白色）が表示される。
【００２４】
逆に、画素電極１３１〜１３３と対向電極１４１との間に相対的に画素電極１３１〜１３３の電位が高くなるように電圧を印加する。すると、負に帯電された白色粒子１６２はクーロン力によって画素電極１３１〜１３３の側に引き寄せられる。一方、正に帯電された黒色粒子１６３はクーロン力によって対向電極１４１の側に引き寄せられる。この結果、表示面の側（対向電極１４１の側）には黒色粒子１６３が集まることになり、表示面には当該黒色粒子１６３に対応する色（黒色）が表示される。
【００２５】
ここで、本実施形態では、画素基板１０１の側に隔壁１１１〜１１３が設けられ、対向基板１０２の側に接合層（第１の接合層１２１および第２の接合層１２２）が設けられたが、他の構成例として、画素基板１０１の側に接合層（第１の接合層１２１および第２の接合層１２２）が設けられ、対向基板１０２の側に隔壁１１１〜１１３が設けられる構成が用いられてもよい。
また、本実施形態では、２層の接合層（第１の接合層１２１および第２の接合層１２２）が設けられたが、他の構成例として、１層の接合層が設けられてもよい。
【００２６】
また、本実施形態では、白色粒子１６２と黒色粒子１６３が用いられるが、他の構成例として、他の色に対応する粒子が用いられてもよい。
また、本実施形態では、分散液１５１に含まれる粒子として、２色（白色、黒色）に対応する２種類の粒子が用いられるが、他の構成例として、１色に対応する１種類の粒子が用いられてもよく、または、３色以上に対応する３種類以上の粒子が用いられてもよい。
例えば、赤色、緑色、青色などの顔料を用いることによって、赤色、緑色、青色などを表示する表示部１１を備える電気泳動表示装置１とすることも可能である。
【００２７】
また、他の構成例として、対向基板１０２に、画素基板１０１とは反対の側に、導光部および発光部が備えられてもよい。導光部は、発光部から発せられる光を導光し、これにより、フロントライトが実現される。この場合、画素基板１０１と導光部とを接合するために、接着部またはフレームなどが備えられてもよい。発光部としては、例えば、ＬＥＤ（Ｌｉｇｈｔ  Ｅｍｉｔｔｉｎｇ  Ｄｉｏｄｅ）が用いられてもよい。
なお、他の構成例として、バックライトが用いられてもよい。
【００２８】
また、本実施形態では、隔壁１１１〜１１３により形成される画素領域２１ごとの空間（セルとなる閉空間）が並べられた形状として、スクエアの形状（例えば、正方体または長方形が並べられた形状）が用いられるが、他の構成例として、ハニカムの形状（正六角柱が並べられた形状）など、他の形状が用いられてもよい。
【００２９】
［非保持型の電気泳動表示装置の概要］
ここで、非保持型の電気泳動表示装置１を実現する構成例として、フッ素を用いる非保持型の構成例と、粒子のブラシを調整する非保持型の構成例を示す。なお、フッ素を用いる非保持型の構成例と、粒子のブラシを調整する非保持型の構成例とは、例えば、いずれか任意の一方が用いられてもよく、または、両方が用いられてもよい。
【００３０】
＜フッ素を用いる非保持型の構成例＞
本構成例では、対向基板１０２に設けられる対向電極１４１の側において、電気泳動粒子（本実施形態では、白色粒子１６２および黒色粒子１６３）と接する面にフッ素を設ける。本実施形態では、第２の接合層１２２において、第２の接合層１２２と分散液１５１とが接する面に、フッ素が設けられている。フッ素の層は、例えば、撥水性と撥油性の一方または両方の特性を有することが可能である。
【００３１】
フッ素を設ける手法としては、例えば、フッ素（例えば、フッ素樹脂）をコート（コ―ティング）することにより当該フッ素の層を設ける手法、または、フッ素（例えば、フッ素樹脂）のフィルムを貼ることにより当該フッ素の層を設ける手法が用いられてもよい。コートの方法としては、例えば、スピンコート、または、スプレーによるコートなどが用いられてもよい。フィルムを貼る方法としては、例えば、真空状態で熱を加えてラミネートする方法などが用いられてもよい。また、フッ素の樹脂としては、例えば、導電性のものが用いられてもよい。
また、本実施形態では、第２の接合層１２２自体がフッ素を用いて構成されてもよい。
【００３２】
このように、対向基板１０２に設けられる対向電極１４１の側の表面（本実施形態では、第２の接合層１２２の面）にフッ素（例えば、フッ素樹脂）が存在して、当該フッ素と分散液１５１とが接する構成では、当該フッ素と電気泳動粒子とが水素結合等の結合を作らないため、例えば、電気泳動粒子を対向電極１４１の側に保持するファンデルワールス力が働いても、電気泳動粒子は外力で容易に対向電極１４１の側の表面から離れる。これにより、電気泳動粒子が対向電極１４１の側に保持されない非保持型が実現される。
【００３３】
具体例を示す。
第１の具体例では、第１の接合層１２１と第２の接合層１２２を備え、第２の接合層１２２としてフッ素の層を設ける。第１の接合層１２１は、ヒドリンゴムを用いて構成され、１５μｍの層の厚さ（画素基板１０１と対向基板１０２とが対向する方向の長さ。以下も同様。）を有する。第２の接合層１２２は、フッ素樹脂の層として構成され、０．３μｍの層の厚さを有する。体積抵抗率は、ヒドリンゴムが１Ｅ８（＝１×１０８）［Ωｃｍ］以下であり、第２の接合層１２２が１Ｅ１２（＝１×１０１２）［Ωｃｍ］以下である。他の構成例として、第１の接合層１２１として、ＮＢＲゴム（ニトリルゴム）、または、ウレタンゴムなどが用いられてもよい。
【００３４】
第２の具体例では、第１の接合層１２１と第２の接合層１２２とを一体化して１層の構造とする。例えば、フッ素樹脂で形成された第２の接合層１２２の弾性率が１００ＭＰａ以下の場合に、当該１層の構造が用いられてもよい。当該１層は、１層のフッ素フィルムを用いて構成され、１０〜３０μｍの層の厚さを有する。この体積抵抗率は、１Ｅ９（＝１×１０９）［Ωｃｍ］以下である。
【００３５】
ここで、本実施形態では、対向基板１０２に設けられる対向電極１４１の側の表面（本実施形態では、第２の接合層１２２の面）にフッ素が設けられる構成を示すが、他の構成例として、画素基板１０１に設けられる画素電極１３１〜１３３の側において、電気泳動粒子（本実施形態では、白色粒子１６２および黒色粒子１６３）と接する面（表面）にフッ素を設ける構成が用いられてもよい。当該面は、例えば、当該画素電極１３１〜１３３と分散液１５１とが接する場合には当該画素電極１３１〜１３３の面であり、また、当該画素電極１３１〜１３３と分散液１５１との間に、当該分散液１５１と接する絶縁層などが設けられる場合には、当該絶縁層などであってもよい。
また、対向基板１０２に設けられる対向電極１４１の側の表面にフッ素が設けられる構成と、画素基板１０１に設けられる画素電極１３１〜１３３の側の表面にフッ素が設けられる構成とは、例えば、いずれか任意の一方が用いられてもよく、または、両方が用いられてもよい。
なお、通常は、表示面となる対向基板１０２（対向電極１４１）の側の方が、表示面とならない画素基板１０１（画素電極１３１〜１３３）の側よりも、フッ素を設ける構成が好ましいと考えられるが、他の構成が用いられてもよい。
【００３６】
＜粒子のブラシを調整する非保持型の構成例＞
本構成例では、電気泳動粒子（本実施形態では、白色粒子１６２および黒色粒子１６３）のブラシを調整した構成とする。当該ブラシは、例えば、電気泳動粒子に付加される高分子ポリマーである。また、当該ブラシの調整としては、例えば、電気泳動粒子に付加されるブラシの量を多くすること、または、電気泳動粒子に付加されるブラシの長さを長くすること、のうちの任意の一方または両方である。
このように、電気泳動粒子に付加されるブラシの量が多いほど、または、電気泳動粒子に付加されるブラシの長さが長いほど、対向基板１０２に設けられる対向電極１４１の側の表面（本実施形態では、第２の接合層１２２の面）と電気泳動粒子との立体反発距離が大きくなると考えられる。これにより、電気泳動粒子が対向電極１４１の側に保持されない非保持型が実現される。
【００３７】
ここで、電気泳動粒子に付加されるブラシの量（以下、「粒子ブラシ量」ともいう。）について説明する。
粒子ブラシ量は、ブラシの構造、または、電気泳動粒子にブラシを付ける製造プロセスなどによって、異なり得る。経験的には、酸化チタンあるいは窒化チタンにシリコン系のブラシを修飾した場合には、次の具体例（第１の具体例〜第３の具体例）のような粒子ブラシ量になる。ここで、白色粒子１６２は、酸化チタンの表面にアルミナコートが施されているとし、また、黒色粒子１６３は、窒化チタンの表面にシリカコートが施されているとする。
【００３８】
第１の具体例は、単点結合シランカップリング型ブラシである。製造プロセスは、溶媒（シリコンオイル）のあるシランカップリングである。この場合、白色粒子１６２の粒子ブラシ量は１〜３％であり、黒色粒子１６３の粒子ブラシ量は２〜４％である。
第２の具体例は、多点結合シランカップリング型ブラシである。製造プロセスは、溶媒（シリコンオイル）のあるシランカップリングである。この場合、白色粒子１６２の粒子ブラシ量は３〜５％であり、黒色粒子１６３の粒子ブラシ量は３〜６％である。
第３の具体例は、多点結合シランカップリング型ブラシである。製造プロセスは、溶媒の無いシランカップリングである。この場合、白色粒子１６２の粒子ブラシ量は５〜２５％であり、黒色粒子１６３の粒子ブラシ量は６〜２５％である。
【００３９】
ここで、電気泳動粒子に付加されるブラシの量を多くすること、または、電気泳動粒子に付加されるブラシの長さを長くすることは、例えば、複数種類の電気泳動粒子が用いられる場合には、すべての種類の電気泳動粒子に実行されてもよく、または、任意の一部の１種類以上の電気泳動粒子に実行されてもよい。例えば、複数種類の電気泳動粒子が用いられる場合には、すべての種類の電気泳動粒子に実行されることが好ましい一例であると考えられるが、一部の電気泳動粒子に実行されても、その分の効果が得られると考えられる。
【００４０】
［電気泳動粒子の固着の有無の対比］
図３は、本発明の一実施形態に係る電気泳動粒子の固着が無い場合の様子の一例を示す図である。
図３には、隔壁１１２と、第２の接合層１２２と、第１の接合層１２１と、対向電極１４１と、対向基板１０２を示してあり、他の構成部は図示を省略してある。
本実施形態のように非保持型では、画素電極１３１（他の画素電極１３２、１３３についても同様）と対向電極１４１との間に所定の電圧が印加されて１種類の電気泳動粒子（本実施形態では、白色粒子１６２または黒色粒子１６３）が対向電極１４１の側の表面に固着した後に、当該電圧の印加が停止されると、当該電気泳動粒子が対向電極１４１の側の表面に固着せずに当該表面から離れる。
【００４１】
図４は、比較例に係る電気泳動粒子の固着がある場合の様子の一例を示す図である。
図４には、隔壁２０１１と、第２の接合層２０１２と、１種類の電気泳動粒子２０１３（比較例では、白色粒子または黒色粒子）と、第１の接合層２０１４と、対向電極２０１５と、対向基板２０１６を示してあり、他の構成部は図示を省略してある。
比較例のように保持型では、画素電極と対向電極２０１５との間に所定の電圧が印加されて１種類の電気泳動粒子２０１３が対向電極２０１５の側の表面に固着した後に、当該電圧の印加が停止されても、当該電気泳動粒子２０１３が対向電極２０１５の側の表面に固着する。
【００４２】
ここで、固着の評価結果の例を示す。
図３に示される非保持型について、フッ素フィルムを用いた場合、黒色表示からの切り替えに関する評価結果は、１００万回の駆動で白反射率の低下が１％以内であった。
一方、図４に示される保持型について、第１の接合層２０１４としてヒドリンゴムを用いて、第２の接合層２０１２としてＰＶＡ（ポリビニルアルコール）を用いた場合、黒色表示からの切り替えに関する評価結果は、１００万回の駆動で白反射率が３％低下であった。
【００４３】
図５は、表示色の切り替え時における応答速度の一例を示す図である。
図５に示されるグラフでは、横軸は時間を表わしており、縦軸は反射率を表わしている。当該グラフは、黒色表示から白色表示へ切り替えられた場合における、本実施形態のような非保持型の特性１０１１と、比較例に係る保持型の特性１０１２を示してある。当該グラフでは、横軸の時間の原点において黒色表示の電圧から白色表示の電圧へ切り替えられた場合を示してある。非保持型の特性１０１１では、早い時期に電気泳動粒子（本例では、黒色粒子）が対向電極の側の表面から離れる。一方、保持型の特性１０１２では、領域１０２１に示されるように、電気泳動粒子（本例では、黒色粒子）が対向電極の側の表面に固着している時間が長く、当該表面からの引きはがしに時間を要する。
なお、黒色と白色との間では、中間色（本例では、灰色）となる。例えば、非保持型において、電圧の駆動が停止された場合に、中間色に近付いていく。
【００４４】
黒色から白色への応答速度の評価結果の例を示す。
図３に示される非保持型について、フッ素フィルムを用いた場合、黒色から白色への応答速度は０．０８秒であった。
一方、図４に示される保持型について、第１の接合層２０１４としてヒドリンゴムを用いて、第２の接合層２０１２としてＰＶＡ（ポリビニルアルコール）を用いた場合、黒色から白色への応答速度は０．３〜０．４秒であった。
【００４５】
［非保持型における消費電力の効率化］
図６は、本発明の一実施形態に係る非保持型における消費電力の効率化を説明するための図である。
図６には、反射率の特性１１１１を表すグラフ（図６の説明において、「反射率のグラフ」という。）と、画素電極１３１（他の画素電極１３２、１３３についても同様）と対向電極１４１との間に印加される電圧の特性１１１２を表すグラフ（図６の説明において、「電圧のグラフ」という。）と、画素基板１０１と対向基板１０２との間における白色粒子１６２および黒色粒子１６３の様子の例（他の構成部は図示を省略）とを、時間的に対応付けて示してある。
反射率のグラフでは、横軸は時間を表わしており、縦軸は反射率を表わしている。
電圧のグラフでは、横軸は時間を表わしており、縦軸は電圧を表わしている。
横軸の時間として、時刻ｔ１〜ｔ９を示してある。
【００４６】
反射率のグラフでは、縦軸に関して、０を基準としており、Ｒｂ１を黒色の反射率とし、Ｒｂ２を黒色が少し劣化した反射率とし、Ｒｗを白色の反射率としている。本例では、０＜Ｒｂ１＜Ｒｂ２＜Ｒｗである。
電圧のグラフでは、縦軸に関して、Ｖ０を基準としており、Ｖｂを黒色表示のための電圧（駆動電圧）としてあり、Ｖｗを白色表示のための電圧（駆動電圧）としてある。本例では、Ｖｂ＜Ｖ０＜Ｖｗであり、これらの電圧は大小関係（正負も入れた大小関係）が成立すれば、それぞれの値の正負はいずれであってもよい。なお、本実施形態では、Ｖ０＝０［Ｖ］としてあり、Ｖ０は電気泳動粒子の色に対応する駆動電圧（ＶｂあるいはＶｗ）の印加が解除された（オフにされた）ときの電圧としてある。
【００４７】
図６の例では、時刻ｔ１〜時刻ｔ２では電圧Ｖｗが印加されて白色表示が実現され、時刻ｔ２〜時刻ｔ３では電圧Ｖｂが印加されて黒色表示が実現され、時刻ｔ３〜時刻ｔ４では電圧Ｖｗが印加されて白色表示が実現され、時刻ｔ４〜時刻ｔ５では電圧Ｖｂが印加されて黒色表示が実現される。続いて、時刻ｔ５〜時刻ｔ６では電圧Ｖ０が印加されて、黒色表示から灰色表示へ変化していく。そこで、時刻ｔ６〜時刻ｔ７では電圧Ｖｂを印加することで、灰色表示へ変化していく表示を黒色表示に戻す。同様に、時刻ｔ７〜時刻ｔ８では電圧Ｖ０が印加されて、黒色表示から灰色表示へ変化していく。そこで、時刻ｔ８〜時刻ｔ９では電圧Ｖｂを印加することで、灰色表示へ変化していく表示を黒色表示に戻す。
【００４８】
ここで、時刻ｔ１〜時刻ｔ２（時刻ｔ３〜時刻ｔ４も同様）における電圧制御としては、例えば、時刻ｔ１〜時刻ｔ２の期間のうちの初めの所定時間（例えば、１秒のうちの初めの４００ｍｓ）で電圧Ｖｗを印加し、続く残りの時間（例えば、１秒のうちの残りの６００ｍｓ）で電圧Ｖ０を印加する態様が用いられてもよい。
また、時刻ｔ２〜時刻ｔ３（時刻ｔ４〜時刻ｔ５も同様）における電圧制御としては、例えば、時刻ｔ２〜時刻ｔ３の期間のうちの初めの所定時間（例えば、１秒のうちの初めの４００ｍｓ）で電圧Ｖｂを印加し、続く残りの時間（例えば、１秒のうちの残りの６００ｍｓ）で電圧Ｖ０を印加する態様が用いられてもよい。
【００４９】
ここで、非保持型では、電圧の印加が停止されると表示の内容が保持されないため、表示の内容を保持する場合には、そのための電力を要すると考えられる。
これに関し、本実施形態に係る電気泳動表示装置１では、表示の内容を保持するときには、少ない消費電力（好ましくは、最小限の消費電力）になるようにする。一例として、本実施形態に係る電気泳動表示装置１では、通常の駆動時（表示の色を書き換えるとき）よりも、表示部１１を駆動する電圧のパルスの時間幅を短く（狭く）することで、低消費電力化を図る。他の例として、本実施形態に係る電気泳動表示装置１では、通常の駆動時（表示の色を書き換えるとき）よりも、表示部１１を駆動する電圧のデューティ（Ｄｕｔｙ）を短く（小さく）することで、低消費電力化を図る。なお、通常の駆動時と比べて、表示の内容を保持するときに、例えば、デューティを同じにして電圧のパルス時間幅を短くする構成が用いられてもよく、または、電圧のパルス時間幅を同じにしてデューティを短くする構成が用いられてもよく、または、電圧のパルスの時間幅を短くすることとデューティを短くすることの両方が行われる構成が用いられてもよい。
【００５０】
具体例を示す。
非保持型の電気泳動表示装置１が時計の表示に用いられる場合、１分（＝６０秒）ごとに表示の内容を書き換えるときのように駆動のデューティが短いときにも、または、１秒ごとに表示の内容を書き換えるときのように駆動のデューティが長いときにも、表示の内容を保持するために駆動を行うことが必要である。
これに関し、本実施形態に係る電気泳動表示装置１では、１秒ごとに表示の内容を書き換えるときには、１秒ごとに（つまり、毎秒）、通常の駆動（表示の内容の書き換え）を行う。これに対して、本実施形態に係る電気泳動表示装置１では、１分ごとに表示の内容を書き換えるときには、１分ごとに（つまり、毎分）、通常の駆動（表示の内容の書き換え）を行うとともに、１秒ごとに（つまり、毎秒）、保持のための駆動を行う。ここで、保持のための駆動では、通常の駆動よりも、表示部１１を駆動する電圧のパルスの時間幅を短くすること、または、表示部１１を駆動する電圧のデューティを短くすること、のうちの一方または両方を行う。
【００５１】
図６に示される駆動制御が時計に適用される場合の例を示す。
時刻ｔ１〜ｔ５の期間は、１秒ごとに表示の内容を書き換える期間の例である。例えば、時刻ｔ１に対して時刻ｔ２、時刻ｔ３、時刻ｔ４、時刻ｔ５が１秒おきになっている。つまり、１秒間隔の一定周期で通常の駆動が行われる。
これに対して、時刻ｔ５〜ｔ９の期間は、１分ごとに表示の内容を書き換える期間の例である。例えば、時刻ｔ５と時刻ｔ６の間は９秒程度であり、時刻ｔ６と時刻ｔ７の間は１秒程度（電圧の印加時間が４００ｍｓのように、より短くてもよい）であり、時刻ｔ７と時刻ｔ８の間は９秒程度であり、時刻ｔ８と時刻ｔ９の間は１秒程度（電圧の印加時間が４００ｍｓのように、より短くてもよい）である。つまり、１分間隔の一定周期で通常の駆動が行われるとともに、その１分の間（通常の駆動と通常の駆動との間）に、１０秒程度の間隔の一定周期で保持のための駆動が行われる。図６の例では、保持のための駆動により、黒色が劣化した状態（Ｒｂ２）から黒色の状態（Ｒｂ１）に戻されて、表示の内容が保持される。なお、他の例として、保持のための駆動を１秒間隔の一定周期として、表示部１１を駆動する電圧のパルスの時間幅を短くする（例えば、１００ｍｓあるいは５０ｍｓなどにする）構成が用いられてもよい。
図６は、表示部１１の縦および横（マトリクス状）に配置された複数の画素領域２１を駆動する駆動波形を簡略化し、説明のために模式的に示したものである。実際には、例えば、単純な画素電極のみを備えたセグメントパネル、パッシブマトリクスパネル、およびマトリクス状の画素に画素メモリーや画素選択回路等を備えたＴＦＴパネルに適用されてもよい。また、様々な駆動パネルに適用されてもよい。
【００５２】
［非保持型における表示品質の向上］
図７および図８は、本発明の一実施形態に係る非保持型における表示品質の向上を説明するための図である。
図７および図８には、反射率の特性１２１１、１３１１を表すグラフ（図７および図８の説明において、「反射率のグラフ」という。）と、画素電極１３１（他の画素電極１３２、１３３についても同様）と対向電極１４１との間に印加される電圧の特性１２１２、１３１２を表すグラフ（図７および図８の説明において、「電圧のグラフ」という。）と、画素基板１０１と対向基板１０２との間における白色粒子１６２および黒色粒子１６３の様子の例（他の構成部は図示を省略）とを、時間的に対応付けて示してある。
反射率のグラフでは、横軸は時間を表わしており、縦軸は反射率を表わしている。
電圧のグラフでは、横軸は時間を表わしており、縦軸は電圧を表わしている。
図７の例では、横軸の時間として、時刻ｔ１１〜ｔ１５を示してある。図８の例では、横軸の時間として、時刻ｔ２１〜ｔ２５を示してある。
ここで、反射率のグラフの縦軸（Ｒｂ１、Ｒｂ２、Ｒｗ）および電圧のグラフの縦軸（Ｖｂ、Ｖ０、Ｖｗ）については、図６に示されるものと同じである。また、図７および図８においても、図６と同様に、駆動波形を簡略化してある。
【００５３】
図７の例では、時刻ｔ１１〜時刻ｔ１５の期間では、白色の表示と黒色の表示が交互に切り替えられている。そして、時刻ｔ１５において、黒色の表示がなされている状態で、電圧がＶ０（例えば、電圧オフ）に切り替えられて当該電圧が保持される。すると、時刻ｔ１５から時間が経過していくと、白色粒子１６２と黒色粒子１６３とが混じり合っていき、灰色の表示になっていく。なお、図７の例では、反射率に関して灰色の領域３１１の例を示してある。
【００５４】
図８の例では、時刻ｔ２１〜時刻ｔ２５の期間では、黒色の表示と白色の表示が交互に切り替えられている。そして、時刻ｔ２５において、白色の表示がなされている状態で、電圧がＶ０（例えば、電圧オフ）に切り替えられて当該電圧が保持される。すると、時刻ｔ２５から時間が経過していくと、白色粒子１６２と黒色粒子１６３とが混じり合っていき、灰色の表示になっていく。なお、図８の例では、反射率に関して灰色の領域３２１の例を示してある。
【００５５】
ここで、駆動する電圧がＶ０（例えば、電圧オフ）に切り替えられた場合、残像が発生する可能性がある。つまり、この場合、非保持型では、図７の例のように黒色から灰色へ変化することが発生し、図８の例のように白色から灰色へ変化することが発生する。また、黒色から灰色へ変化していくときにおける電気泳動粒子の再分散に要する時間（再分散時間）と、白色から灰色へ変化していくときにおける電気泳動粒子の再分散に要する時間（再分散時間）とが異なる場合には、表示の品質が劣化することが考えられる。具体例として、非保持型では、駆動する電圧がＶ０（例えば、電圧オフ）に切り替えられると、徐々に表示コントラストが落ちていくが、さらに、白色表示から灰色表示へ移行する時間と、黒色表示から灰色表示へ移行する時間とが、異なると、表示品質がより劣化すると考えられる。
【００５６】
そこで、本実施形態に係る電気泳動表示装置１では、黒色から灰色への再分散時間と、白色から灰色への再分散時間とを同じ（または、略同じでもよい）にする。具体的には、黒色の状態で電圧がＶ０に切り替えられた後に所定の灰色になるまでの時間と、白色の状態で電圧がＶ０に切り替えられた後に所定の灰色になるまでの時間とを同じ（または、略同じでもよい）にする。
本実施形態では、例えば、白色粒子１６２の濃度、黒色粒子１６３の濃度、白色粒子１６２と黒色粒子１６３との混合の比率、白色粒子１６２と黒色粒子１６３との帯電の比率などのうちの１以上のパラメーターを調整することで、白色粒子１６２と黒色粒子１６３とで拡散速度を同じ（または、略同じでもよい）にする。これにより、黒色から灰色への再分散時間と、白色から灰色への再分散時間とを同じ（または、略同じでもよい）にすることができ、表示品質の劣化を防止することができる。一例として、印加される電圧がＶｂまたはＶｗからＶ０へ切り替えられてから所定期間後における電気泳動粒子（本実施形態では、白色粒子１６２および黒色粒子１６３）の反射率が所定範囲に収まる構成が用いられてもよい。
【００５７】
［粒子ブラシ量の調整の例］
図９は、本発明の一実施形態に係る粒子ブラシ量の調整を説明するための図である。
図９に示されるグラフでは、横軸は白色粒子１６２の粒子ブラシ量（以下、「白ブラシ量」という。）［％］を表わしており、縦軸は黒色粒子１６３の粒子ブラシ量（以下、「黒ブラシ量」という。）［％］を表わしている。
図９の例では、第１の領域４１１と、第２の領域４１２と、第３の領域４１３を示してある。第１の領域４１１は、白ブラシ量および黒ブラシ量が２％未満である領域である。第２の領域４１２は、白ブラシ量および黒ブラシ量が２％以上であり５％未満である領域である。第３の領域４１３は、白ブラシ量および黒ブラシ量が５％以上である領域である。
【００５８】
第１の領域４１１では、電気泳動粒子（図９の例では、白色粒子１６２ａおよび黒色粒子１６３ａ）が強カップリングする。第１の領域４１１では、所定の電界（例えば、１５Ｖの電界）が画素電極１３１（他の画素電極１３２、１３３についても同様）と対向電極１４１との間に印加されても、電気泳動粒子同士が分離しない。
第２の領域４１２では、電気泳動粒子（図９の例では、白色粒子１６２ｂおよび黒色粒子１６３ｂ）が弱カップリングする。第２の領域４１２では、所定の電界（例えば、１５Ｖの電界）以下の電界が画素電極１３１（他の画素電極１３２、１３３についても同様）と対向電極１４１との間に印加されることで、電気泳動粒子同士が分離する。
第３の領域４１３では、電気泳動粒子（図９の例では、白色粒子１６２ｃおよび黒色粒子１６３ｃ）が非カップリングする（つまり、カップリングしない）。第３の領域４１３では、電界が画素電極１３１（他の画素電極１３２、１３３についても同様）と対向電極１４１との間に印加されなくても、電気泳動粒子同士がブラウン運動等により分離する。
【００５９】
本実施形態では、非保持型とするために、電気泳動粒子のカップリングを抑制することが可能な粒子ブラシ量として、第３の領域４１３の粒子ブラシ量を用いる。すなわち、白ブラシ量および黒ブラシ量が５％以上である粒子ブラシ量を用いる。これにより、電気泳動粒子が自然に分散して混ざるようにする。
また、本実施形態では、黒色から灰色への再分散時間と、白色から灰色への再分散時間とを同じ（または、略同じでもよい）にするようにして、反射率を揃えている。このように駆動電圧の印加がオフにされた後における反射率を揃える調整は、例えば、実験などに基づいて行われてもよく、または、理論に基づいて行われてもよい。
【００６０】
［電気泳動粒子と電極との間の相互作用の例］
電気泳動粒子と電極との間の相互作用の例を説明する。以下で、フッ素を用いる場合と、ブラシの量を調整する場合について説明する。
本実施形態では、画素電極１３１（他の画素電極１３２、１３３についても同様）と対向電極１４１との間に印加される電圧がＶ０（本実施形態では、Ｖ０＝０）である状態において、当該画素電極１３１および当該対向電極１４１との一方または両方について、電気泳動粒子が電極に近付いたときに当該電気泳動粒子と当該電極との間に働く合力が斥力となるように設定されている。一例として、当該電気泳動粒子と当該電極との間の距離が第１の値から第２の値（第２の値は、第１の値よりも大きい値）までの間であるときに当該合力が斥力であってもよい。
【００６１】
＜フッ素を用いる場合＞
図１０は、フッ素を用いる場合における電気泳動粒子と電極との間の相互作用の例を示す図である。
図１０に示されるグラフにおいて、横軸は電気泳動粒子（本実施形態では、白色粒子１６２または黒色粒子１６３）と電極との距離［ｎｍ］を表わしており、縦軸は電気泳動粒子と電極との間の相互作用エネルギーを表わしている。
ここで、本実施形態では、この電極は、対向基板１０２に設けられる対向電極１４１である。また、本実施形態では、電気泳動粒子と電極との距離は、電気泳動粒子と、対向基板１０２に設けられる対向電極１４１の側の表面（本実施形態では、第２の接合層１２２の面）と、の距離である。
【００６２】
図１０の例では、本実施形態に係るフッ素を用いた非保持型の場合における合力の特性１４１１と、比較例に係る保持型の場合における合力の特性１４１２を示してある。
また、図１０の例では、斥力の特性１５１１と、本実施形態に係るフッ素を用いた非保持型の場合における引力の特性１５１２と、比較例に係る保持型の場合における引力の特性１５１３を示してある。
【００６３】
ここで、本実施形態では、対向基板１０２に設けられる対向電極１４１の側の表面（本実施形態では、第２の接合層１２２の面）にフッ素の層が設けられている。当該層は、例えば、貼り付けられたフッ素フィルムの層であってもよく、または、コートされたフッ素樹脂の層であってもよい。対向電極１４１は、例えば、ＩＴＯを用いて構成されている。
また、比較例では、このようなフッ素が用いられていない。また、対向電極は、例えば、ＩＴＯを用いて構成されている。
【００６４】
斥力の特性１５１１は、本実施形態に係る非保持型の場合と、比較例に係る保持型の場合とで、共通である。斥力の特性１５１１は、電気泳動粒子と電極の表面との電気２重層の形成、および、電気泳動粒子のブラシの枯渇効果による反発力に起因する。
本実施形態に係る非保持型の場合における引力の特性１５１２は、分子間力に起因する。
比較例に係る保持型の場合における引力の特性１５１３は、分子間力、および、鏡像力に起因する。
【００６５】
本実施形態に係る非保持型の場合における合力の特性１４１１は、斥力の特性１５１１と引力の特性１５１２との合力の特性である。当該合力の特性１４１１では、エネルギー障壁が高く、このため、電気泳動粒子は、電極の表面に近付けず、分散媒１６１に分散する。
具体的には、フッ素はＣ＝Ｆ結合が安定していることから表面極性が低く、電気泳動粒子が電極に近付いても、斥力によるエネルギー障壁が高く、電気泳動粒子は所定の距離よりも電極に近付くことができない。この結果、電気泳動粒子が、電極の表面に固着せず（保持されず）、分散液１５１のなかに分散する。このように、電気泳動粒子が電極から反発する。
図１０の例では、非保持型のイメージとして、電気泳動粒子が位置４６１と位置４６２との間で行き来するが、それ以上は電極の表面に近付かない場合を示してある。
【００６６】
比較例に係る保持型の場合における合力の特性１４１２は、斥力の特性１５１１と引力の特性１５１３との合力の特性である。当該合力の特性１４１２では、エネルギー障壁が低く、電気泳動粒子は、電極の表面に近付いて、電極の表面に固着する。
具体的には、電気泳動粒子が電極に近付くと、分子間力および鏡像力が大きいため、エネルギー障壁が低く、電気泳動粒子は引力によって電極の表面に近付いて固着する。
図１０の例では、保持型のイメージとして、電気泳動粒子が位置４６１から位置４６３へ行き、その後、位置４６４に行く場合を示してある。
【００６７】
＜ブラシの量を調整する場合＞
図１１は、ブラシ量の調整を用いる場合における電気泳動粒子と電極との間の相互作用の例を示す図である。
図１１に示されるグラフにおいて、横軸は電気泳動粒子（本実施形態では、白色粒子１６２または黒色粒子１６３）と電極との距離［ｎｍ］を表わしており、縦軸は電気泳動粒子と電極との間の相互作用エネルギーを表わしている。
ここで、本実施形態では、この電極は、対向基板１０２に設けられる対向電極１４１である。また、本実施形態では、電気泳動粒子と電極との距離は、電気泳動粒子と、対向基板１０２に設けられる対向電極１４１の側の表面（本実施形態では、第２の接合層１２２の面）と、の距離である。
【００６８】
図１１の例では、合力の特性１６１１と、斥力の特性１７１１と、引力の特性１７１２を示してある。これらは、本実施形態に係る非保持型の場合と、比較例に係る保持型の場合とで、共通である。
【００６９】
ここで、本実施形態では、電気泳動粒子（ここでは、白色粒子１６２および黒色粒子１６３）のブラシの量が（比較例と比べて）多くなっている。対向電極１４１は、例えば、ＩＴＯを用いて構成されている。
また、比較例では、電気泳動粒子のブラシの量は（本実施形態と比べて）少ない。また、対向電極は、例えば、ＩＴＯを用いて構成されている。
【００７０】
斥力の特性１７１１は、電気泳動粒子と電極の表面との電気２重層の形成、電気泳動粒子のブラシの立体反発、および、電気泳動粒子のブラシの枯渇効果による反発力に起因する。ここで、本実施形態に係る非保持型の場合の方が、比較例に係る保持型の場合と比べて、電気泳動粒子のブラシの立体反発の影響が大きい。
引力の特性１７１２は、分子間力、および、鏡像力に起因する。
合力の特性１６１１は、斥力の特性１７１１と引力の特性１７１２との合力の特性である。
【００７１】
本実施形態に係る非保持型の場合、電気泳動粒子のブラシの量を多くしてある。具体的には、電気泳動粒子が電極に近付く際に、立体反発力が大きいために、電気泳動粒子が電極に近付けずに分散するように調整されている。
図１１の例では、電気泳動粒子のブラシの量が１２％である場合における境界線１８１１を示してある。この場合、電気泳動粒子と電極の表面との立体反発距離（境界線１８１１の距離）が長いことから、電気泳動粒子は、電極の表面に近付いても、電極の表面に固着せず、分散液１５１のなかに分散する。このように、電気泳動粒子が電極から反発する。
図１１の例では、非保持型のイメージとして、電気泳動粒子が位置４８１と位置４８２との間で行き来するが、それ以上は電極の表面に近付かない場合を示してある。
【００７２】
比較例に係る保持型の場合、電気泳動粒子のブラシの量が（本実施形態と比べて）少ない。具体的には、電気泳動粒子が電極に近付く際に、立体反発力が小さいために、電気泳動粒子が電極に近付いて固着する。
図１１の例では、電気泳動粒子のブラシの量が３％である場合における境界線１８１２を示してある。この場合、電気泳動粒子と電極の表面との立体反発距離（境界線１８１２の距離）が短いことから、電気泳動粒子は電極の表面に近づいて固着する。
図１１の例では、保持型のイメージとして、電気泳動粒子が位置４８１から位置４８３へ行き、その後、位置４８４に行く場合を示してある。
【００７３】
ここで、図１１の例では、電気泳動粒子のブラシの量を多くする構成を示したが、他の構成例として、電気泳動粒子のブラシの長さを長くする構成が用いられてもよい。
【００７４】
［非保持型の電気泳動表示装置の表示部の製造方法］
本実施形態に係る非保持型の電気泳動表示装置１（特に、電気泳動表示装置１の表示部１１）の製造方法について説明する。
【００７５】
＜フッ素を用いる非保持型の製造方法の例＞
本例では、対向基板１０２に設けられる対向電極１４１の側において、電気泳動粒子（本実施形態では、白色粒子１６２および黒色粒子１６３）と接する面（本実施形態では、第２の接合層１２２の面）にフッ素を設ける工程（例えば、フッ素の層を形成する工程）を行うことで、非保持型の電気泳動表示装置１の表示部１１を製造する。
フッ素を設ける手法としては、例えば、コートを行う手法、または、フィルムを貼る手法が用いられてもよい。
【００７６】
＜粒子のブラシを調整する非保持型の製造方法の例＞
本例では、電気泳動粒子（本実施形態では、白色粒子１６２および黒色粒子１６３）のブラシを調整した分散液１５１を設ける工程を行うことで、非保持型の電気泳動表示装置１の表示部１１を製造する。
電気泳動粒子のブラシを調整する手法としては、例えば、電気泳動粒子に付加されるブラシの量を多くする手法、または、電気泳動粒子に付加されるブラシの長さを長くする手法が用いられてもよい。
【００７７】
［第１実施形態のまとめ］
以上のように、本実施形態に係る電気泳動表示装置１では、駆動電圧が停止されたときに表示の内容が保持されない非保持型の表示部１１を備える。
したがって、本実施形態に係る電気泳動表示装置１では、粒子（電気泳動粒子）の応答速度を速くすることができる。これにより、本実施形態に係る電気泳動表示装置１では、表示の内容の書き換えの速度を速くすることができる。
【００７８】
また、本実施形態に係る電気泳動表示装置１では、電気泳動粒子が電極（本実施形態では、対向電極１４１）の表面（本実施形態では、第２の接合層１２２の面）に固着することを防止することができる。これにより、本実施形態に係る電気泳動表示装置１では、経時的な焼き付きまたは残像を防止することができる。
また、本実施形態に係る電気泳動表示装置１では、駆動電圧が停止されたときにおける黒色から灰色（または、白色）への再分散時間と、白色から灰色（または、黒色）への再分散時間とを同じ（または、略同じ）にすることで、（このような構成が用いられない場合と比べて）表示品質の向上を図ることができる。
また、本実施形態に係る電気泳動表示装置１では、表示の内容を保持する際に、駆動電圧のパルス幅（本実施形態では、パルス時間幅）を短くすること、または、駆動電圧のデューティを短くすることで、低消費電力化を図ることができる。
また、本実施形態では、上記のような電気泳動表示装置１を製造する方法を提供することができる。
【００７９】
ここで、本実施形態では、対向基板１０２に設けられる対向電極１４１の側の表面（本実施形態では、分散液１５１と接する面）、または、画素基板１０１に設けられる画素電極１３１〜１３３の側の表面（本実施形態では、分散液１５１と接する面）に、フッ素の層を設ける構成例を示した。これに関して、他の構成例として、フッ素の層の代わりに、フッ素以外の物質の層を設ける構成が用いられてもよい。フッ素以外の物質の層としては、例えば、撥水性を有する層、または、撥油性を有する層が用いられてもよい。
【００８０】
（第２実施形態）
図１２〜図１４を参照して、本発明の実施形態に係る電子機器の概略的な構成例を示す。本実施形態では、以上の実施形態に係る電気泳動表示装置（第１実施形態に係る電気泳動表示装置１）を適用した電子機器の具体例を示す。
【００８１】
図１２は、本発明の一実施形態（第２実施形態の第１の例）に係る電子機器の概略的な構成例を示す図である。
具体的には、図１２は、電子機器の一例である電子ブック５０１を示す斜視図である。
電子ブック５０１は、ブック形状のフレーム５１１と、以上の実施形態に係る電気泳動表示装置１が適用された表示部５１２と、操作部５１３を備える。
【００８２】
図１３は、本発明の一実施形態（第２実施形態の第２の例）に係る電子機器の概略的な構成例を示す図である。
具体的には、図１３は、電子機器の一例である腕時計５５１を示す斜視図である。
腕時計５５１は、以上の実施形態に係る電気泳動表示装置１が適用された表示部５６１を備える。
【００８３】
図１４は、本発明の一実施形態（第２実施形態の第３の例）に係る電子機器の概略的な構成例を示す図である。
具体的には、図１４は、電子機器の一例である電子ペーパー５７１を示す斜視図である。
電子ペーパー５７１は、紙と同様の質感および柔軟性を有するリライタブルシートで構成される本体部５８１と、以上の実施形態に係る電気泳動表示装置１が適用された表示部５８２を備える。
【００８４】
なお、以上の実施形態に係る電気泳動表示装置１は、他の様々な電子機器に適用されてもよく、例えば、携帯電話、携帯用オーディオ機器等の電子機器の表示部、マニュアル等の業務用シート、教科書、問題集、情報シートなどに適用されてもよい。
【００８５】
以上のように、本実施形態に係る電子機器では、以上の実施形態に係る電気泳動表示装置１と同様な効果を得ることができる。
【００８６】
（以上の実施形態のまとめ）
一構成例として、互いに対向させられた第１の基板（実施形態では、画素基板１０１）および第２の基板（実施形態では、対向基板１０２）と、第１の基板に設けられた第１の電極（実施形態では、画素電極１３１〜１３３）と、第２の基板に設けられた第２の電極（実施形態では、対向電極１４１）と、第１の電極と第２の電極との間に設けられた粒子（実施形態では、白色粒子１６２、黒色粒子１６３）および分散媒（実施形態では、分散媒１６１）を含む分散液（実施形態では、分散液１５１）と、を備え、第１の電極と第２の電極との間に粒子に対応する色（実施形態では、白色粒子１６２に対応する白色、黒色粒子１６３に対応する黒色）を表示させる電圧（実施形態では、電圧Ｖｗ、電圧Ｖｂ）が印加されて第２の基板の側（実施形態では、表示面）に当該色が表示された状態から当該電圧が解除された（実施形態では、電圧Ｖ０（＝０）にされた）場合に、当該粒子に対応する色以外の色（実施形態では、例えば、灰色）が表示される、電気泳動表示装置（実施形態では、電気泳動表示装置１）である。このように、非保持型の電気泳動表示装置では、粒子に対応する色（実施形態では、白色、黒色）を表示させる駆動電圧が解除されると、粒子に対応する色の中間色（実施形態では、灰色）へ表示の色が変化していく。
一構成例として、電気泳動表示装置において、第１の電極と第２の電極との間に電圧が印加されない状態において、第１の電極と第２の電極の一方または両方の電極について、電極と粒子とが近付いたときに、電極と粒子との間に働く合力が斥力となる（例えば、図１０の例、図１１の例）。
一構成例として、電気泳動表示装置において、第１の電極と第２の電極の一方または両方の電極について、分散液が電極の側と接する面に、撥水性または撥油性の層を備える（例えば、図２〜図５の例、図１０の例）。
一構成例として、電気泳動表示装置において、前記した層は、フッ素の層である（例えば、図２〜図５の例、図１０の例）。
一構成例として、電気泳動表示装置において、粒子のブラシの量または長さが、第１の電極と第２の電極の一方または両方の電極について電極と粒子とが近付いたときに電極と粒子との間に働く合力が斥力となる値に、設定された（例えば、図１１の例）。
【００８７】
一構成例として、以上のような電気泳動表示装置を備える電子機器である（例えば、図１２〜図１４の例）。
一構成例として、以上のような電気泳動表示装置を製造する製造方法である。
一例として、互いに対向させられた第１の基板および第２の基板と、第１の基板に設けられた第１の電極と、第２の基板に設けられた第２の電極と、第１の電極と第２の電極との間に設けられた粒子および分散媒を含む分散液と、を備えた電気泳動表示装置を製造する製造方法であって、次の工程を行う。すなわち、このような電気泳動表示装置の製造方法において、第１の電極と第２の電極の一方または両方の電極について、分散液が電極の側と接する面に、撥水性または撥油性の層を形成する工程、または、粒子のブラシの量または長さが、第１の電極と第２の電極の一方または両方の電極について電極と粒子とが近付いたときに電極と粒子との間に働く合力が斥力となる値に、設定された分散液を設ける工程、の一方または両方の工程を行う。
【００８８】
以上、この発明の実施形態について図面を参照して詳述してきたが、具体的な構成はこの実施形態に限られるものではなく、この発明の要旨を逸脱しない範囲の設計等も含まれる。
【００８９】
なお、以上に説明した装置（例えば、電気泳動表示装置１、あるいは、電子機器）における任意の構成部（例えば、制御部など）の機能を実現するためのプログラムを、コンピューター読み取り可能な記録媒体（記憶媒体）に記録（記憶）し、そのプログラムをコンピューターシステムに読み込ませて実行するようにしてもよい。なお、ここでいう「コンピューターシステム」とは、オペレーティングシステム（ＯＳ：Ｏｐｅｒａｔｉｎｇ  Ｓｙｓｔｅｍ）あるいは周辺機器等のハードウェアを含むものとする。また、「コンピューター読み取り可能な記録媒体」とは、フレキシブルディスク、光磁気ディスク、ＲＯＭ（Ｒｅａｄ  Ｏｎｌｙ  Ｍｅｍｏｒｙ）、ＣＤ（Ｃｏｍｐａｃｔ  Ｄｉｓｋ）−ＲＯＭ等の可搬媒体、コンピューターシステムに内蔵されるハードディスク等の記憶装置のことをいう。さらに「コンピューター読み取り可能な記録媒体」とは、インターネット等のネットワークあるいは電話回線等の通信回線を介してプログラムが送信された場合のサーバーあるいはクライアントとなるコンピューターシステム内部の揮発性メモリー（ＲＡＭ：Ｒａｎｄｏｍ  Ａｃｃｅｓｓ  Ｍｅｍｏｒｙ）のように、一定時間プログラムを保持しているものも含むものとする。
また、上記のプログラムは、このプログラムを記憶装置等に格納したコンピューターシステムから、伝送媒体を介して、あるいは、伝送媒体中の伝送波により他のコンピューターシステムに伝送されてもよい。ここで、プログラムを伝送する「伝送媒体」は、インターネット等のネットワーク（通信網）あるいは電話回線等の通信回線（通信線）のように情報を伝送する機能を有する媒体のことをいう。
また、上記のプログラムは、前述した機能の一部を実現するためのものであってもよい。さらに、上記のプログラムは、前述した機能をコンピューターシステムにすでに記録されているプログラムとの組み合わせで実現できるもの、いわゆる差分ファイル（差分プログラム）であってもよい。
【符号の説明】
【００９０】
１…電気泳動表示装置、１１、５１２、５６１、５８２…表示部、１２…制御部、２１…画素領域、１０１…第１の基板（画素基板）、１０２、２０１６…第２の基板（対向基板）、１１１〜１１３、２０１１…隔壁、１２１、２０１４…接合層（第１の接合層）、１２２、２０１２…接合層（第２の接合層）、１３１〜１３３…第１の電極（画素電極）、１４１、２０１５…第２の電極（対向電極）、１５１…分散液、１６１…分散媒、１６２、１６２ａ、１６２ｂ、１６２ｃ、１６３、１６３ａ、１６３ｂ、１６３ｃ、２０１３…電気泳動粒子、１７１…封止部、３１１、３２１、４１１〜４１３…領域、４６１〜４６４、４８１〜４８４…位置、５０１…電子ブック、５１１…フレーム、５１３…操作部、５５１…腕時計、５７１…電子ペーパー、５８１…本体部、１０１１〜１０１２、１１１１〜１１１２、１２１１〜１２１２、１３１１〜１３１２、１４１１〜１４１２、１５１１〜１５１３、１６１１、１７１１〜１７１２…特性、１８１１〜１８１２…境界線
【図１】
2017129810.tif 000003
【図２】
2017129810.tif 000004
【図３】
2017129810.tif 000005
【図４】
2017129810.tif 000006
【図５】
2017129810.tif 000007
【図６】
2017129810.tif 000008
【図７】
2017129810.tif 000009
【図８】
2017129810.tif 000010
【図９】
2017129810.tif 000011
【図１０】
2017129810.tif 000012
【図１１】
2017129810.tif 000013
【図１２】
2017129810.tif 000014
【図１３】
2017129810.tif 000015
【図１４】
2017129810.tif 000016